(57)【要約】      （修正有）【課題】天体及びその動きを直観的に示すための天球儀組立体を提供する。【解決手段】複数の天体の表示を有するとともに、第１半球と第２半球とに均等に分離され、第１半球と第２半球とは第１の軸を中心に互いに相対運動するように機械的に構成される球体１１１と、第１半球の周りに円周方向に配置されるとともに、１年の第１の日を表す第１の日付の表示を含む日付曲線１１６と、第２半球の周りに円周方向に配置されるとともに、１日の第１の時刻を表す第１の時刻の表示を含み、日付曲線とは互いに隣接する時間曲線１１２と、を備え、第１半球と第２半球とが、第１の日付の表示が第１の時刻の表示に一致するように相対運動を行うとき、球体は第１の日付の第１の時刻に地球から見た複数の天体の方向を表す。【選択図】図１
0003224496.tif 000002
【実用新案登録請求の範囲】
【請求項１】
天球儀組立体であって、
発光機構と、下端に基準マークとを含む天体指示ペンと、
球体を有する天球儀であって、前記球体はその表面上に少なくとも一つの星のマークを有する、天球儀と、
半球状で、少なくとも部分的に透明で使用者が透視できるようになっている天体記録カバーと、を備え、
前記天体記録カバーは、前記天球儀の前記球体の半分を覆うように構成され、
前記天体指示ペンの前記基準マークは、前記球体の表面上の前記少なくとも１つの星のマークと重なるように構成される、天球儀組立体。
【請求項２】
前記天体指示ペンは透明ベースを含み、前記透明ベースは、前記基準マークが前記透明ベースを通して観察可能であるように構成される、請求項１に記載の天球儀組立体。
【請求項３】
前記発光機構はレーザー光を発光する、請求項１または２に記載の天球儀組立体。
【請求項４】
前記天球儀は、前記球体の周りに円周方向に配置された日付曲線を含み、前記日付曲線は上辺と下辺を持ち、前記上辺は天の北極の近くにあり、前記下辺は天の赤道と重なる、請求項１〜３のいずれか一項に記載の天球儀組立体。
【請求項５】
前記天球儀は時間曲線を含み、前記時間曲線は前記球体とは別構造であり、前記時間曲線は、天の赤道と重なる上辺を含み、前記時間曲線は、天の南極に近い底辺を含む、請求項１〜４のいずれか一項に記載の天球儀組立体。
【請求項６】
前記天球儀は水平線を表す水平プレートを含み、前記水平プレートは方向マークを含む、請求項１〜５のいずれか一項に記載の天球儀組立体。
【請求項７】
前記天球儀は水平線を表す水平プレートを含み、少なくとも３つのスタンドが、構造的支持を与えるために、前記水平プレートの底面に取り付けられる、請求項１〜６のいずれか一項に記載の天球儀組立体。
【請求項８】
前記天球儀は緯度盤を含み、前記緯度盤は、前記球体が表す第１の空の第１の緯度を示すように構成される、請求項１〜７のいずれか一項に記載の天球儀組立体。
【請求項９】
前記天体記録カバーは高度マークを含む、請求項１〜８のいずれか一項に記載の天球儀組立体。
【請求項１０】
前記天体記録カバーは水平プレートを含み、前記水平プレートは方向マークを含む、請求項１〜９のいずれか一項に記載の天球儀組立体。
【請求項１１】
天球儀組立体を使用する方法であって、
天球儀の球体を第１の軸の回りに回転させることと、
日付曲線の第１の日付と時間曲線の第１の時間とを一致させることと、
前記天球儀の前記球体を第２の軸の周りに回転させることと、
天の赤道を緯度盤上に示される所定の緯度と一致させることと、
前記天球儀の方向マークが地理的方向と一致するように前記天球儀の向きを決定することと、を含む方法。
【請求項１２】
天体指示ペンの基準マークと前記球体の星のマークとを重ね合わせることと、
前記天体指示ペンの光線を発光させることと、を更に含む請求項１１に記載の方法。
【請求項１３】
前記天球儀の前記球体を天体記録カバーで覆うことと、
前記天体記録カバーの方向マークと前記天球儀の前記方向マークとを一致させることと、を更に含む請求項１１または１２に記載の方法。
【請求項１４】
前記天球儀の前記球体を天体記録カバーで覆うことと、
前記天体記録カバーの方向マークと前記天球儀の前記方向マークとを一致させることと、
前記天体記録カバー上に星の第１の位置のマークを付けることと、を更に含む請求項１１〜１３のいずれか一項に記載の方法。
【請求項１５】
前記天球儀の前記球体を前記第１の軸の回りに回転させることと、
前記日付曲線の前記第１の日付と時間曲線の第２の時間とを一致させることと、
前記天体記録カバー上に前記星の第２の位置のマークを付けることと、を更に含む請求項１１〜１４のいずれか一項に記載の方法。
【請求項１６】
天体指示ペンの基準マークを、前記天体記録カバー上の前記星の前記第１の位置のマークに重ね合わせることと、
前記天体指示ペンの光線を発光させることと、を更に含む請求項１１〜１５のいずれか一項に記載の方法。
【請求項１７】
前記天体指示ペンの前記基準マークを、前記天体記録カバー上の前記星の前記第２の位置のマークに重ね合わせることと、
前記天体指示ペンの光線を発光させることと、を更に含む請求項１１〜１６のいずれか一項に記載の方法。
【請求項１８】
前記天球儀は、前記球体の周りに円周方向に配置された水平プレートを含み、前記水平プレートは水平線を表し、前記水平プレートは方向マークを含む、請求項１１〜１７のいずれか一項に記載の方法。
【請求項１９】
前記天球儀は更に前記緯度盤に取り付けられた緯度表示を含み、前記緯度表示は、現在の天の赤道の緯度を示す、請求項１１〜１８のいずれか一項に記載の方法。
【請求項２０】
前記天球儀の前記球体は北極星のマークを含む、請求項１１〜１９のいずれか一項に記載の方法。
【考案の詳細な説明】
【考案の詳細な説明】
【０００１】
［関連出願の相互参照］
この出願は、米国出願番号１５/４９５,０８７（出願日：２０１７年４月２４日）、台湾出願番号ＴＷ１０５２１９４０３（出願日：２０１６年１２月２１日）、中国出願番号ＣＮ２０１７２０１２５９８１．１（出願日２０１７年２月１０日）、国際意匠登録出願番号ＤＭ０９３０１６（登録日：２０１６年１０月４日）に基づく優先権を主張し、上記の出願及び登録の内容は、あらゆる目的のためにその全体が本明細書に組み込まれる。
［技術分野］
本開示は天球儀の組立について説明する。特に、天球儀本体、天体指示ペン、及び天体記録カバーなどの天球儀の組立について詳述する。
［背景技術］
天体（星、太陽、月など）の動きによって地球上の昼夜や季節、天気が生まれる。天体の動きの研究は複雑な技術であり、何年もの歳月を必要とする。
【０００２】
天体の動きを直観的に理解する方法は現在まだない。本開示の実施形態は、天体及びその動きを直観的に示すための器具及び方法を説明することを目的とする。ここで説明する器具と方法は、教育目的及び娯楽目的で使用される。
［考案の概要］
本開示は天球儀の組立について説明する。特に、天球儀本体、天体指示ペン、及び天体記録カバーなどの天球儀組立体の使用方法について詳述する。
【０００３】
本開示の実施形態の１つによれば、天球儀組立体には天体指示ペンが含まれる。天体指示ペンは、発光機構を備えている。天体指示ペンの底部に基準マークを備えている。天球儀組立体には、天球儀が含まれている。天球儀には球体が含まれている。球体の表面には星印を少なくとも１つ有する。天球儀には天体記録カバーが含まれている。天体記録カバーは半球状である。天体記録カバーは、少なくとも部分的に透明であり、使用者は中身を見ることができる。天体記録カバーは、天球儀の球体の半分を覆うように構成されている。天体指示ペンの参考マークは、球体の表面上の少なくとも１つの星印と重なるように構成されている。
【０００４】
本開示の一実施形態によれば、天球儀部品の使用方法には、第一軸周りの天球儀球体の回転による最初の日付と最初の時間の調節、第二軸周りの天球儀球体の回転による天の赤道と緯度盤上に示される所定の緯度の調節、天球の方向が地理的な方向と一致するような天球儀の調節が含まれている。
【図面の簡単な説明】
【０００５】
以下の図面は、本明細書の一部を形成し、本開示の特定の形状をより明示するために表記している。本開示によって明細書に表記されている明細書の実施形態の詳細な記述と組み合わせて、これらの図面の１つまたは複数を参照することにより、より明確に理解され得るものである。
【図１】本開示の一実施形態による天体の天球儀組立体である。
【図２】本開示の一実施形態による天体のステッカーセットである。
【図３】本開示の一実施形態による月のステッカーセットである。
【図４】本開示の一実施形態による天球儀組立体の使用方法である。
【図５】本開示の一実施形態による天球儀組立体の使用方法である。
【図６Ａ】本開示の一実施形態による天球儀組立体の使用方法である。
【図６Ｂ】本開示の一実施形態による天球儀組立体の使用方法である。
【図６Ｃ】本開示の一実施形態による天球儀組立体の使用方法である。
【考案を実施するための形態】
【０００６】
以下は本明細書全体で使用する様々な用語及び語句の定義の説明である。
「comprising（含む）」（及び「comprise」、「comprises」等の活用変化を含む）、「having（有する）」（及び「have」、「has」等の活用変化を含む）、「including（含む、含有する）」（及び「includes」、「include」などの活用変化を含む）、及び「containing（含む、包含する）」（及び「contains」「contain」等の活用変化を含む）は包括的且つ制限はなく、追加的、言及されていない要素または方法手順を除外しない。
【０００７】
以下の図面、詳細な説明及び実例から本開示の他の目的、特徴及び利点は明らかである。但し、図面や詳細な説明、及び実例は本開示の特定の実施形態を示しているが、例示するのみであり、限定を意味するものではないことを理解すべきである。さらに、技術に精通した当業者がこの詳細な説明から本開示の精神と範囲内における変更及び修正を理解できると想定しうる。
【０００８】
「赤道」とは、地球の周りの大きな円を意味し、地理的な両極から等距離にあり、地球の軸に垂直に交わる平面を意味する。この地理的又は陸上の赤道は、地球を北半球と南半球に分け、緯度が計測される地球の表面上に想像上の基準線を形成する、即ち、緯度が０度の線である。
【０００９】
「地平線」とは、地球を北半球と南半球に分ける緯度０度の平面を意味する。「水平面」とは、地平線で定義される平面である。
「高度」とは、地平線面からの傾斜角である。
【００１０】
「地理的な北極」は、地球の北極を意味する。
「地理的な南極」とは、地球の南極を意味する。
「地球の軸」とは、地球の地軸を意味する。地軸は、地理的な北極と南極を通過する。
【００１１】
「天球」は、地球と同心の半径の長さが任意の仮想球である。天球は、観測者が中心であり、すべての天体が横たわっているとされる仮想球としても理解することができる。観測者の空にあるすべての天体は、天球の内側の表面に投影されていると考えることができ、天体がドームや半球状のスクリーンの下にあるかのように見える。
【００１２】
「天の赤道」とは、大円が天球の極から等距離にあることを意味する。天の赤道は天の赤道面に位置する。
「天の赤道面」とは、天球を北半球と南半球に分ける平面である。
【００１３】
「天の北極」とは、天球の北極である。
「天の南極」は、天球の南極である。
「黄道」は、天球上の太陽の見かけ上の経路である。
【００１４】
他に定義されない限り、本明細書中で使用される全ての技術用語及び科学用語は、本開示が属する当業者によって一般的に理解されるのと同じ意味を有する。本明細書中で具体的に言及している全ての刊行物及び特許は、本開示に関連して使用され得る刊行物に報告される化学物質、機器、統計分析及び方法論の記述及び開示を含み、あらゆる目的のためにその全体が参考として援用される。本明細書に引用された全ての参考文献は、本特許の技術レベルを示すものとして解釈されるべきである。本明細書は、優先開示を理由に本開示を先行する権利がないことを認めると解釈するものではない。
【００１５】
本開示のこれら及び他の非限定的な形態は、以下の段落で詳述する。
図１は、本開示の一実施形態による天球儀組立体１００である。天球儀組立体１００は、図２のステッカーセット２００と組み合わせて使用することができ、図３のステッカーセット３００と組み合わせて使用することができる。天球儀組立体１００は、図４の方法４００、図５の方法５００、図６Ａの方法６００、図６Ｂの方法６２０、及び図６Ｃの方法６４０でそれぞれ使用できる。
【００１６】
図１に示す通り天球儀組立体１００（以下、「組立体」という）は、指示ペン１０２（以下、「指示ペン」という）、天球儀１１０、天体記録カバー１４０（以下、「記録カバー」という）を含んでいる。
【００１７】
指示ペン１０２は、ペン本体１０４と、透明ベース１０６と、参考マーク１０８を含んでいる。ペン本体１０４は、細長い円筒体である。ペン本体１０４にはレーザーダイオード、固体光源、発光ダイオードなどの発光機構を搭載することができる。ペン本体１０４には、発光機構から放出された光を収束してレーザービームなど集束光ビーム１０９を形成するためのレンズを１つ以上含むことができる。
【００１８】
指示ペン１０２は、透明ベース１０６を含む。透明ベース１０６には、少なくとも部分的に透明な材料を１つ以上使用している。透明ベース１０６は、適切なプラスチックまたはガラスで製造することができる。透明ベース１０６は、ユーザーが透明ベースによって基準マーク１０８を見ることができるように設計されている。透明ベース１０６で基準マーク１０８を見ることができるようになると、ユーザーは、基準マーク１０８を、関心のある天球儀１１０上の星などの天体と重ねやすくなる。基準マーク１０８が配置された透明ベース１０６の底面は、透明ベース１０６が天球儀１１０の表面と物理的に接触しているときに、指示ペン１０２がぐらつかないように、天球儀１１０の表面と一致する曲率を有する凹面であってもよい。
【００１９】
組立体１００は、天球儀１１０を含む。天球儀１１０は、球体１１１を含む。天球儀１１０には、水平プレート１２０と、水平プレート１２０と接続した複数のスタンド１２２を含んでいる。
【００２０】
水平プレート１２０は、地球を南半球と北半球に分離する０°の緯度を有する地球の水平線を表す。水平プレート１２０の上面は、水平面を表す。水平プレート１２０は、方向記号１２１を含んでいる。「Ｅ」は地理的な東を意味し、「Ｗ」は地理的な西、「Ｎ」は地理的な北、そして「S」は地理的な南方向を意味する。
【００２１】
図１に示す通りＮＳ軸１５０は、水平プレート１２０のＮ及びSのマークを通過する回転軸である。ＷＥ軸１５４は、水平プレート１２０のＷ及びＥマークを通過する回転軸である。天頂軸１５２は、ＮＳ軸１５０及びＷＥ軸１５４と交差する回転軸である。さらに、天頂軸１５２は、水平面に対して垂直である。ＮＳ軸１５０、ＷＥ軸１５４、及び天頂軸１５２は、互いに垂直である。
【００２２】
図１に示す通り水平面はＸＹ平面と平行である。ＮＳ軸１５０はＸ軸に平行である。天頂軸１５２はＺ軸に平行である。ＷＥ軸はＹ軸に平行である。Ｘ軸、Ｙ軸、及びＺ軸は、互いに直交する３次元ベクトルとして当業者に知られている。
【００２３】
球体１１１は、天球を表す。球体１１１は、地球と同心の任意の大きな半径の球である。仮想球体１１１又は仮想観察者は、球体１１１の中心である。球体１１１は、球体であり、観察者を中心とし、全ての天体が存在すると理解されているものとする。。
【００２４】
球体１１１には、星座や星などの天体のマークを含んでいる。図１に示す通り天体のマークには、うしかい座１３０及びはくちょう座１３１を含んでいる。図示の通り、天体のマークは、琴座１３２及び北極星１２８を含んでいる。実施形態の一部は、天体のマークを球体１１１の表面に印刷または刻印することができる。
【００２５】
天頂軸１５２とＷＥ軸１５４は共に球体１１１の回転軸であるが、ＮＳ軸は球体１１１の回転軸ではない。つまり、球体１１１はＷＥ軸１５４を中心に回転し、天頂軸１５２を同時に動かす。但し、球体１１１はＮＳ軸１５０を中心に回転しない。
【００２６】
球体１１１はさらに、日付曲線１１６を含んでいる。日付曲線１１６は、球体１１１の表面に印刷または刻印される。そのため、球体１１１が回転すると、日付曲線１１６も回転する。日付曲線１１６と天体のマーキング（うしかい座１３０、北極星１２８等）の両方が球体の表面上に印刷または刻印されるので、日付曲線１１６は天体１１１のマークについて関係動作を行わない。
【００２７】
日付曲線１１６は、球体１１１の周りに円周方向に配置される。日付曲線１１６には、１月〜１２月の合計１２の月マークを含んでいる。日付曲線１１６には、各月の日付も含んでいる。一実施形態において、日付曲線１１６には、毎月の日付を含めることができる、つまり１年の３６５日を含んでいる。一実施形態において、日付曲線１１６は、各月にマークが５日付いている。
【００２８】
日付曲線１１６は、上面と底面の２つの面を有する。日付曲線１１６の上面は、北天極に近接している。日付曲線１１６の底面は天の赤道１１４と重なる。
球体１１１には、黄道１１８のマークを含んでいる。
【００２９】
天球儀１１０には、時間曲線１１２を含んでいる。時間曲線１１２は、球体１１１とは別の構造である。時間曲線１１２は、ＷＥ軸１５４の周りしか回転しない。時間曲線１１２は、ＮＳ軸１５０又は天頂軸１５２の周りを回転しない。時間曲線１１２には、１日２４時間のマークを含んでいる。
【００３０】
時間曲線１１２は、上側及び下側を有する。一実施形態において、時間曲線１１２の上面は天体の赤道１１４と重なっている。一実施形態において、時間曲線１１２の上面は天の北極に近接している。一実施形態において、時間曲線１１２の底面は、天の南極に近接している。
【００３１】
天球儀１１０には、緯度盤１２４を含んでいる。緯度盤１２４は、半円形である。図１に示す通り緯度盤１２４には、北半球の緯度を表す水平面で９０°から天頂方向に０°まで時計回りの方向に始まる緯度マークを含んでいる。また、図１に示す通り緯度マークは時計回り方向に天頂方向に０°から南半球の緯度を示す水平平面に９０°まで継続する。
【００３２】
天球儀１１０は、緯度表示１２６を含んでいる。緯度表示器１２６は、天体の赤道１１４の現在の緯度を示している。一実施形態において、緯度表示１２６は常に天体の赤道１１４を指し示す。球体１１１がＷＥ軸１５４の周りを回転するとき、緯度表示１２６は天体の赤道１１４に続く。従って、緯度表示１２６を観察することによって、天体の赤道１１４の現在の緯度が理解できる。
【００３３】
天体組立体１００は、天体記録カバー１４０（以下、「記録カバー」という）を含んでいる。一実施形態において、記録カバー１４０は透明な材料で作られる。
記録カバー１４０は、天頂１４２を含んでいる。記録カバーは、水平プレート１４６を含んでいる。水平プレート１４６は、地球を南北半球に分離する０°の緯度を有する地球の水平線を表している。水平プレート１４６の上面は水平面を表している。水平プレート１４６は方向マーク１４８を含み、そのうち「Ｅ」は地理的な東を意味し、「Ｗ」は地理的な西、「Ｎ」は地理的な北、「S」は地理的な南方向を意味する。
【００３４】
一実施形態において、水平プレート１４６は、水平プレート１２０及びそのマークと一致することができる。
一実施形態において、水平プレート１４６は、磁石を１つ以上有することができ、水平プレート１２０にも対応する磁石を有することができる。１４６及び１２０の２つの水平プレート１が互いに取り付けられたとき、１２０は自動的に自己整列することができる。
【００３５】
記録カバー１４０は高度マーク１４４を含んでいる。高度マーク１４４は、水平プレート１４６によって規定される水平面からの傾斜角を示す。
記録カバー１４０はさらに、高度の円形マーク１４５も複数含んでいる。高度の円形マーク１４５は、記録カバー１４０上の円形マークであり、同じ高度を有するカバー上の各ポイントを示している。
【００３６】
図２は、本開示の一実施形態における天体のステッカーセット２００である。ステッカーセット２００は、水星２０２、火星２０４、天王星２０６、金星２０８、木星２１０、海王星２１２、太陽２１４、土星２１６、及び冥王星２１８の各ステッカーを含んでいる。
【００３７】
セット２００の任意のステッカーを球体１１１に取り付けることができる。一実施形態では、セット２００の任意に貼り付けたステッカーは球体１１１から取り外すことが可能である。
【００３８】
天文学において、水星、火星、天王星、金星、木星、海王星、太陽、土星、及び冥王星は、球体１１１上に印刷された天体などの星に相対的な動きを起こす。したがって、天体と関係する特定の日時の天球儀上の水星、火星、天王星、金星、木星、海王星、太陽、土星、又は冥王星の正確な位置を知るために、利用者は、容易に入手可能な表またはソフトウェアをチェックして、目的の黄緯及び黄経を調べなければならない。目的の黄緯及び黄経が表又はソフトウェアから得られる場合、使用者は適切なステッカー（水星２０２、火星２０４、天王星２０６、金星２０８、木星２１０、海王星２１２、太陽２１４、土星２１６、又は冥王星２１８）を、ステッカーセット２００から取り出して球体１１１の適切な位置に貼ることができる。
【００３９】
図３は、本開示の一実施形態による月のステッカーセット３００である。ステッカーセット３００は、新月３０２、三日月３０４、上弦の月３０６、十三夜３０８、満月３１０、十八夜３１２、下弦の月３１４、二十六夜３１６の各ステッカーを含んでいる。
【００４０】
天文学では、月は球体１１１上に印刷された天体などの星に相対的な動きを行う。したがって、星と関係する特定の日時の天球儀上の月の正確な位置を知るために、利用者は、容易に入手可能な表またはソフトウェアをチェックして、目的の黄緯及び黄経を調べなければならない。目的の黄緯及び黄経が表又はソフトウェアから得られる場合、使用者は適切なステッカー（新月３０２、三日月３０４、上弦の月３０６、十三夜３０８、満月３１０、十八夜３１２、下弦の月３１４、又は二十六夜３１６）を、ステッカーセット３００から取り出して球体１１１の適切な位置に貼ることができる。
【００４１】
図４は、本開示の一実施形態による天球儀１１０を使用する方法４００である。
方法４００は、時間及び日付を一致させる手順４０５を含んでいる。手順４０５は、日付曲線１１６の最初の日付が時間曲線１１２の最初の時刻と一致するように球体１１１を回転させる手順を含めることができる。手順４０５には日付曲線１１６の最初の日付が時間曲線１１２の最初の時刻と一致するように、球体１１１を天頂軸１５２の周りで（z軸に平行に）回転させることを含めることができる。
【００４２】
例えば、図４が示すように、最初の日付は１２月１０日で、最初の時刻は午前９時にすることもできる。したがって、利用者は、日付曲線１１６の１２月１０日が時間曲線１１２の９時に一致するように、球体１１１を回転させることができる。
【００４３】
方法４００は、緯度を選択する手順４１０を含む。手順４１０には、天球の赤道１１４と緯度表示１２６の両方が第１の緯度で整列されるように、球体１１１と時間曲線１１２を一緒にＷＥ軸１５４を中心に（y軸に平行に）回転させることを含めることができる。一実施形態では、第１の緯度は、観察者が配置した目的の緯度である。
【００４４】
例えば、図４が示すように、第１の緯度は北緯６０°とすることができる。したがって、利用者は、天球の赤道１１４と緯度表示１２６の両方が緯度盤１２４上の北緯６０度のマークで一列に並ぶように球体１１１と時間曲線１１２を一緒にＷＥ軸１５４を中心に（y軸に平行に）回転させることができる。
【００４５】
方法４００は、方向を一致させる手順４１５を含んでいる。手順４１５は、方向記号１２１が地理的方向と一致するように、天体１１０を方向付けることを含んでいる。
一実施形態では、手順４１５は、天球儀１１０の「Ｅ」１２１を地理的に東への調節、及び/又は天球儀１１０の「Ｗ」１２１を地理的に西への調節、及び/又は天球儀１１０の「Ｎ」１２１を地理的に北への調節、及び/又は天球儀１１０の「S」１２１を地理的に南への調節を含んでいる。
【００４６】
４０５、４１０、及び４１５の手順完了後、天球儀１１０は、特定の日付（例えば、１２月１０日）、特定の時間（例えば午前９時）の空を観察者の位置（例えば、北緯６０度）に表示する。手順４０５、４１０及び４１５は特定の順序を有しておらず、以上の手順の順序は方法４００の範囲から逸脱しない範囲で変更可能であることに留意すべきである。
【００４７】
図５は、本開示の一実施形態による天球儀組立体１００を使用する方法５００である。方法５００で、利用者が天体指示ペン１０２を使用して空の星の実際の位置を示すことが可能である。図５は、うしかい座のアルクトゥルス１３３（星）等目的の星を示している。
【００４８】
方法５００は、天体指示ペン１０２の基準マーク１０８を関心のある星に重ねる手順５１５を含めることができる。方法５００は、空を指すように光線１０９を発光することも含めることができる。
【００４９】
方法４００を引用して、４０５、４１０、４１５の各手順を完了後、天球儀１１０は、特定の日付（例えば、１２月１０日）、特定の時間（例えば午前９時）の空を観察者の位置（例えば、北緯６０度）に表示する。方法５００により、利用者は特定の日付（例えば、１２月１０日）、特定の時間（例えば午前９時）の空を観察者の位置（例えば、北緯６０度）に天体指示ペン１０２を用いて、空の星の実際の位置（例えば、図５に示すようにうしかい座のアルクトゥルス１３３）を指し示すことができる。
【００５０】
図６Ａは、本開示の一実施形態による天球儀組立体１００を使用する方法６００である。
方法６００は、天球儀１１０を記録カバー１４０で覆う手順６０５を含んでいる。手順６０５は、記録カバー１４０の水平プレート１４６を天球儀１１０の水平プレート１２０の上に重ねるステップを含めることができる。手順６０５は、水平プレート１４６の方向マーク１４８を水平プレート１２０の方向マーク１２１に一致させる手順を含めることができる。
【００５１】
方法６００は、記録カバー１４０をマーカーペンでマークする手順６１０を含んでいる。手順６１０は、マーカーペン６１０上の関心のある星の位置をマーカーペンでマークすることを含めることができる。記録カバー１４０は透明のため、利用者はカバー１４０を通して観察することができる。利用者は、関心のある星の位置の記録を描いたり、マークアップするためにマーカーペンを使用することができる。例えば、利用者は、うしかい座１３０のアルクトゥルス１３３に関心を持つかもしれない。次に、利用者は、手順６１０において、マーカーペンで記録カバー１４０上のアルクトゥルス１３３の位置をマークすることができる。
【００５２】
図６Ｂは、本開示の一実施形態による天球儀組立体１００を使用する方法６２０である。
方法４００を引用して、４０５、４１０、４１５の各手順を完了後、天球儀１１０は、特定の日付（例えば、１２月１０日）、特定の時間（例えば午前９時）の空を観察者の位置（例えば、北緯６０度）に右方向に表示する。方法４００の後に方法６００を実行し、うしかい座１３０、はくちょう座１３１、及び北極星１２８に関心があると仮定すると、手順６１０において、記録カバー１４０は、１２月１０日の午前９時の北緯６０°に、うしかい座１３０、はくちょう座１３１、及び北極星１２８の位置の複数のマークを有する。この空６２５を図６Ｂに示す。
【００５３】
方法６２０は、指示ペン１０２の基準マーク１０８を、記録カバー１４０上の関心のあるマークと重ねる手順６３０を含めることができる。さらに、方法６３０は、方向マーク１４８が正しい地質方向に一致するように記録カバー１４０を方向付けることを含めることができる。他に、方法６３０は、指示ペン１０２のビームを発光して空の星の位置を指すことを含めることができる。
【００５４】
図６Ｃは、本開示の一実施形態による天球儀組立体１００を使用する方法６４０である。
方法６４０は、天体の動きの軌道の確立６４５を含む。関心のある星の少なくとも１つのマークが記録カバー上に作られる方法６００を引用する。
【００５５】
天体の軌道を確立する手順６４５に、方法６００のすべての手順を含めることができる。さらに手順６４５は、球体１１１を次回（午前９時から午前１０時、午前１１時等）に手順を含めることができる。手順６４５は方法６００の手順を繰り返す。つまり、方法６４０は、球体１１１を第１の時間に回転させて第１の時間に星の第１のマークを作り、第２の時間に球体１１１を回転させて第２の時間に星の第２のマークを作る。そのため記録カバー６４０上に星の軌道が十分に刻印されるまで繰り返される。この軌道は、特定の時間帯にわたる星の動きを表している。
【００５６】
軌道は、天体、星、惑星、太陽、月のいずれにもできる。図６Ｃに示す通り３月２０日の太陽の軌道６５０が記録カバー１４０にマークアップされる。太陽の軌道６５０には、少なくとも、３月２０日の午前７時、午前８時、午前９時、午前１０時、午前１１時等の太陽の位置が含まれている。
【００５７】
軌道が太陽の動きである場合、指示ペン１０２を使用して、特定の時間に日時計の影（又は観察者の影６５５）を想定するために、カバー内側に印をつけることができる。図６Ｃに示す通り３月２０日午前１０時に指示ペン１０２を使用して太陽のマークを通過させると、３月２０日午前１０時に観測者の陰が現れる。３月２０日午前１１時に指示ペン１０２を使用して太陽のマークを通過させると、３月２０日午前１１時に観測者の陰が現れる。３月２０日午前１２時に指示ペン１０２を使用して太陽のマークを通過させると、３月２０日午前１２時に観測者の陰が現れる。以降も同様に継続する。当業者は、観察者の影は、日時計と同じ原理を有することを理解するであろう。したがって、上記の太陽の軌道は、特定の緯度で特定の日付の特定の時刻に日時計を想定するためにも使用できる。
【００５８】
上記の実施形態及び方法は例示的なものであり、特許請求の範囲の真の範囲を限定するものと解釈されるべきではないことに留意すべきである。
【図１】
0003224496.tif 000003
【図２】
0003224496.tif 000004
【図３】
0003224496.tif 000005
【図４】
0003224496.tif 000006
【図５】
0003224496.tif 000007
【図６Ａ】
0003224496.tif 000008
【図６Ｂ】
0003224496.tif 000009
【図６Ｃ】
0003224496.tif 000010
【手続補正書】
【提出日】平成31年4月23日(2019.4.23)
【手続補正１】
【補正対象書類名】実用新案登録請求の範囲
【補正対象項目名】全文
【補正方法】変更
【補正の内容】
【実用新案登録請求の範囲】
【請求項１】
天球儀組立体であって、
複数の天体の表示を有するとともに、第１半球と第２半球とに均等に分離される球体であって、前記第１半球と前記第２半球とは第１の軸を中心に互いに相対運動するように機械的に構成される球体と、
前記第１半球の周りに円周方向に配置されるとともに、１年の第１の日を表す第１の日付の表示を含む日付曲線と、
前記第２半球の周りに円周方向に配置されるとともに、１日の第１の時刻を表す第１の時刻の表示を含み、前記日付曲線と前記時間曲線とは互いに隣接する時間曲線と、を備え、
前記第１半球と前記第２半球とが、前記第１の日付の表示が前記第１の時刻の表示に一致するように相対運動を行うとき、前記球体は前記第１の日付の前記第１の時刻に地球から見た前記複数の天体の方向を表す、天球儀組立体。
【請求項２】
第１の天体の第１の天体の表示と、
発光機構と底部における基準マークとを含む天体指示ペンと、をさらに備え、
前記基準マークが前記第１の天体の表示と重なるとき、前記天体指示ペンにより発光される光ビームが前記第１の天体を指し示す、請求項１に記載の天球儀組立体。
【請求項３】
前記発光機構はレーザー光を発光する、請求項２に記載の天球儀組立体。
【請求項４】
赤道は前記第１半球と前記第２半球との間に規定される、請求項１に記載の天球儀組立体。
【請求項５】
前記第１半球は、地球の北半球から観察可能な前記複数の天体の方向を表示する、請求項１に記載の天球儀組立体。
【請求項６】
前記第２半球は、地球の南半球から観察可能な前記複数の天体の方向を表示する、請求項１に記載の天球儀組立体。
【請求項７】
前記天球儀組立体は、水平線上の第１の方向を表す第１の方向の表示を含む、請求項１に記載の天球儀組立体。
【請求項８】
前記天球儀組立体は水平線を表す水平プレートを含み、少なくとも３つのスタンドが、構造的支持を与えるために、前記水平プレートの底面に取り付けられる、請求項１に記載の天球儀組立体。
【請求項９】
前記球体は、前記第１半球と前記第２半球との相対運動を行うことなく第２の軸を中心に回転するように構成され、前記第２の軸は前記第１の軸に直交する、請求項１に記載の天球儀組立体。
【請求項１０】
地球の第１の緯度を表す第１の緯度の表示をさらに含み、
前記球体が、前記球体の赤道が前記第１の緯度の表示と一致するように前記第２の軸を中心に回転させられると、前記球体は地球の前記第１の緯度における位置で地球から見た前記複数の天体の方向を表示する、請求項９に記載の天球儀組立体。
【手続補正書】
【提出日】令和1年10月30日(2019.10.30)
【手続補正１】
【補正対象書類名】実用新案登録請求の範囲
【補正対象項目名】全文
【補正方法】変更
【補正の内容】
【実用新案登録請求の範囲】
【請求項１】
天球儀組立体であって、
複数の天体の表示を有するとともに、第１半球と第２半球とに均等に分離される球体であって、前記第１半球と前記第２半球とは第１の軸を中心に互いに相対運動するように機械的に構成される球体と、
前記第１半球の周りに円周方向に配置されるとともに、１年の第１の日を表す第１の日付の表示を含む日付曲線と、
前記第２半球の周りに円周方向に配置されるとともに、１日の第１の時刻を表す第１の時刻の表示を含み、前記日付曲線とは互いに隣接する時間曲線と、を備え、
前記第１半球と前記第２半球とが、前記第１の日付の表示が前記第１の時刻の表示に一致するように相対運動を行うとき、前記球体は前記第１の日付の前記第１の時刻に地球から見た前記複数の天体の方向を表す、天球儀組立体。
【請求項２】
第１の天体の第１の天体の表示と、
発光機構と底部における基準マークとを含む天体指示ペンと、をさらに備え、
前記基準マークが前記第１の天体の表示と重なるとき、前記天体指示ペンにより発光される光ビームが前記第１の天体を指し示す、請求項１に記載の天球儀組立体。
【請求項３】
前記発光機構はレーザー光を発光する、請求項２に記載の天球儀組立体。
【請求項４】
赤道は前記第１半球と前記第２半球との間に規定される、請求項１に記載の天球儀組立体。
【請求項５】
前記第１半球は、地球の北半球から観察可能な前記複数の天体の方向を表示する、請求項１に記載の天球儀組立体。
【請求項６】
前記第２半球は、地球の南半球から観察可能な前記複数の天体の方向を表示する、請求項１に記載の天球儀組立体。
【請求項７】
前記天球儀組立体は、水平線上の第１の方向を表す第１の方向の表示を含む、請求項１に記載の天球儀組立体。
【請求項８】
前記天球儀組立体は水平線を表す水平プレートを含み、少なくとも３つのスタンドが、構造的支持を与えるために、前記水平プレートの底面に取り付けられる、請求項１に記載の天球儀組立体。
【請求項９】
前記球体は、前記第１半球と前記第２半球との相対運動を行うことなく第２の軸を中心に回転するように構成され、前記第２の軸は前記第１の軸に直交する、請求項１に記載の天球儀組立体。
【請求項１０】
地球の第１の緯度を表す第１の緯度の表示をさらに含み、
前記球体が、前記球体の赤道が前記第１の緯度の表示と一致するように前記第２の軸を中心に回転させられると、前記球体は地球の前記第１の緯度における位置で地球から見た前記複数の天体の方向を表示する、請求項９に記載の天球儀組立体。